【手続補正書】
【提出日】平成18年11月6日(2006.11.6)
【手続補正１】
【補正対象書類名】明細書
【補正対象項目名】特許請求の範囲
【補正方法】変更
【補正の内容】
【特許請求の範囲】
【請求項１】 下式（Ｉ）
【化１】
2002530415.tif 000001
｛式中、
Ｍが、元素周期表ＩＩＩ、ＩＶ、ＶまたはＶＩ遷移族の金属を意味し、
Ｒ1が、相互に同じでも異なってもよく、それぞれ基Ｓｉ（Ｒ12）3（このＲ12は相互に同じでも異なってもよく、それぞれ水素原子またはＣ1−Ｃ40基である）を意味し、またはＲ1がＣ1−Ｃ30基を意味するか、あるいは２個もしくはそれ以上のＲ1が相互に結合されて、これらを結合するシクロペンタジエニル環の原子と共に、それ自体が置換されていてもよいＣ4−Ｃ24環基を形成してもよく、
Ｒ2が、相互に同じでも異なってもよく、それぞれ基Ｓｉ（Ｒ12）3（このＲ12は相互に同じでも異なってもよく、それぞれ水素原子またはＣ1−Ｃ40基である）を意味し、またはＲ2がＣ1−Ｃ30基を意味するか、あるいは２個もしくはそれ以上のＲ2が相互に結合されて、これらを結合するシクロペンタジエニル環の原子と共に、それ自体が置換されていてもよいＣ4−Ｃ24環基を形成してもよく、
Ｒ3が、相互に同じでも異なってもよく、それぞれＣ1−Ｃ40基を、
Ｘが、ハロゲン原子を、
Ｙが、元素周期表ＶＩ主族元素、またはフラグメントのＣＨ、ＣＲ32、ＮＲ3、ＰＲ3もしくはＰ（＝Ｏ）Ｒ3を意味し、
ｎが、１から５（ｋ＝０の場合）または０から４（ｋ＝１の場合）であり、
ｎ´が、１から５（ｋ＝０の場合）または０から４（ｋ＝１の場合）であり、
ｍが、１から３、ことに１であり、
ｋが、０または１であり、これによりｋ＝０の場合にはブリッジされていないメタロセンを、ｋ＝１の場合にはブリッジされているメタロセンをもたらし、
Ｂが、２個のシクロペンタジエニル環の間におけるブリッジ構成単位を意味する｝で表される化合物。
【請求項２】 上記式（Ｉ）中の
Ｍが、Ｔｉ、ＺｒまたはＨｆを意味し、
Ｒ1が、相互に同じでも異なってもよく、それぞれ基Ｓｉ（Ｒ12）3（このＲ12は相互に同じでも異なってもよく、それぞれ水素原子またはＣ1−Ｃ20アルキル、Ｃ1−Ｃ10フルオロアルキル、Ｃ1−Ｃ10アルコキシ、Ｃ6−Ｃ20アリール、Ｃ6−Ｃ10フルオロアリール、Ｃ6−Ｃ10アリールオキシ、Ｃ2−Ｃ10アルケニル、Ｃ7−Ｃ40アリールアルキル、Ｃ7−Ｃ40アルキルアリールまたはＣ8−Ｃ40アリールアルケニルである）を意味し、またはＲ1がＣ1−Ｃ25アルキル、Ｃ2−Ｃ25アルケニル、Ｃ3−Ｃ15アルキルアルケニル、Ｃ6−Ｃ24アリール、Ｃ5−Ｃ24ヘテロアリール、Ｃ7−Ｃ30アリールアルキル、Ｃ7−Ｃ30アルキルアリール、弗素化Ｃ1−Ｃ25アルキル、弗素化Ｃ6−Ｃ24アリール、弗素化Ｃ7−Ｃ30アリールアルキル、弗素化Ｃ7−Ｃ30アルキルアリールまたはＣ1−Ｃ12アルコキシを意味するか、あるいは２個もしくはそれ以上のＲ1が相互に結合されて、これらを結合するシクロペンタジエニル環の原子と共に、それ自体が置換されていてもよいＣ4−Ｃ24環基を形成してもよく、
Ｒ2が、相互に同じでも異なってもよく、それぞれ基Ｓｉ（Ｒ12）3（このＲ12は相互に同じでも異なってもよく、それぞれ水素原子またはＣ1−Ｃ20アルキル、Ｃ1−Ｃ10フルオロアルキル、Ｃ1−Ｃ10アルコキシ、Ｃ6−Ｃ14アリール、Ｃ6−Ｃ10フルオロアリール、Ｃ6−Ｃ10アリールオキシ、Ｃ2−Ｃ10アルケニル、Ｃ7−Ｃ40アリールアルキル、Ｃ7−Ｃ40アルキルアリールまたはＣ8−Ｃ40アリールアルケニルである）を意味し、またはＲ2がＣ1−Ｃ25アルキル、Ｃ2−Ｃ25アルケニル、Ｃ3−Ｃ15アルキルアルケニル、Ｃ6−Ｃ24アリール、Ｃ5−Ｃ24ヘテロアリール、Ｃ7−Ｃ30アリールアルキル、Ｃ7−Ｃ30アルキルアリール、弗素化Ｃ1−Ｃ25アルキル、弗素化Ｃ6−Ｃ24アリール、弗素化Ｃ7−Ｃ30アリールアルキル、弗素化Ｃ7−Ｃ30アルキルアリールまたはＣ1−Ｃ12アルコキシを意味するか、あるいは２個もしくはそれ以上のＲ2が相互に結合されて、これらを結合するシクロペンタジエニル環の原子と共に、それ自体が置換されていてもよいＣ4−Ｃ24環基を形成してもよく、
Ｒ3が、相互に同じでも異なってもよく、それぞれＣ1−Ｃ25アルキル、Ｃ2−Ｃ25アルケニル、Ｃ3−Ｃ15アルキルアルケニル、Ｃ6−Ｃ24アリール、Ｃ5−Ｃ24ヘテロアリール、Ｃ7−Ｃ30アルキルアリール、Ｃ7−Ｃ30アリールアルキルまたは弗素化Ｃ1−Ｃ25アルキル、弗素化Ｃ6−Ｃ24アリール、弗素化Ｃ7−Ｃ30アリールアルキルまたは弗素化Ｃ7−Ｃ30アルキルアリールを、
Ｘが、塩素を、
Ｙが、酸素、硫黄またはＮＲ3を意味し、
ｎが、１から５（ｋ＝０の場合）または０から４（ｋ＝１の場合）であり、
ｎ´が、１から５（ｋ＝０の場合）または０から４（ｋ＝１の場合）であり、
ｍが、１であり、
ｋが、１であることを特徴とする、請求項１の化合物。
【請求項３】 式（Ｉ）中のｋが１である、ブリッジされているメタロセン化合物であることを特徴とする、請求項１の化合物。
【請求項４】下式（ＩＩ）
【化２】
2002530415.tif 000002
｛式中、
Ｍが、Ｔｉ、ＺｒまたはＨｆを意味し、
Ｒ3が、相互に同じでも異なってもよく、それぞれＣ1−Ｃ30基を意味し、
Ｒ4、Ｒ6が、相互に同じでも異なっていてもよく、それぞれ水素原子またはＣ1−Ｃ20基を意味し、
Ｒ5、Ｒ7が、相互に同じでも異なっていてもよく、それぞれ水素原子またはＣ1−Ｃ20基を意味し、
Ｒ8、Ｒ9が、相互に同じでも異なっていてもよく、それぞれ水素原子、ハロゲン原子、またはＣ1−Ｃ20基を意味し、またＲ8もしくはＲ9が、それ自体置換されていてもよい単環または多環基を形成してもよく、
Ｘが、ハロゲン原子を、
Ｙが、元素周期表ＶＩ主族の元素、またはフラグメントのＣＨ、ＣＲ32、ＮＲ3、ＰＲ3もしくはＰ（＝Ｏ）Ｒ3を意味し、
ｌ、ｌ´が、相互に同じでも異なってもよく、それぞれ０から４の整数であり、
Ｂが、２個のインデニル基の間のブリッジ構成単位を意味する｝で表されることを特徴とする、請求項３の化合物。
【請求項５】 上記式（ＩＩ）中の
Ｍが、ジルコニウムを、
Ｒ3が、相互に同じでも異なってもよく、それぞれＣ3−Ｃ10アルキル、Ｃ6−Ｃ24アリール、Ｃ5−Ｃ24ヘテロアリール、Ｃ7−Ｃ30アリールアルキル、Ｃ7−Ｃ30アルキルアリール、弗素化Ｃ6−Ｃ24アリール、弗素化Ｃ7−Ｃ30アリールアルキル、弗素化Ｃ7−Ｃ30アルキルアリールを、
Ｒ4、Ｒ6が、相互に同じでも異なってもよく、それぞれ水素原子、Ｃ1−Ｃ18アルキル、Ｃ2−Ｃ10アルケニル、Ｃ3−Ｃ15アルキルアルケニル、Ｃ6−Ｃ18アリール、Ｃ5−Ｃ18ヘテロアリール、Ｃ7−Ｃ20アリールアルキル、Ｃ7−Ｃ20アルキルアリール、弗素化Ｃ1−Ｃ12アルキル、弗素化Ｃ6−Ｃ18アリール、弗素化Ｃ7−Ｃ20アリールアルキルまたは弗素化Ｃ7−Ｃ20アルキルアリールを、
Ｒ5、Ｒ7が、相互に同じでも異なってもよく、それぞれ水素原子、Ｃ1−Ｃ18アルキル、Ｃ2−Ｃ10アルケニル、Ｃ3−Ｃ15アルキルアルケニル、Ｃ6−Ｃ18アリール、Ｃ5−Ｃ18ヘテロアリール、Ｃ7−Ｃ20アリールアルキル、Ｃ7−Ｃ20アルキルアリール、弗素化Ｃ1−Ｃ12アルキル、弗素化Ｃ6−Ｃ18アリール、弗素化Ｃ7−Ｃ20アリールアルキルまたは弗素化Ｃ7−Ｃ20アルキルアリールを意味し、
Ｒ8、Ｒ9が、相互に同じでも異なってもよく、それぞれ水素原子、ハロゲン原子、直鎖もしくは分岐Ｃ1−Ｃ18アルキル基、Ｃ2−Ｃ10アルケニル、Ｃ3−Ｃ15アルキルアルケニル、置換されていてもよいＣ6−Ｃ18アリール基、Ｃ5−Ｃ18ヘテロアリール、Ｃ7−Ｃ20アリールアルキル、Ｃ7−Ｃ20アルキルアリール、弗素化Ｃ1−Ｃ12アルキル、弗素化Ｃ6−Ｃ18アリール、弗素化Ｃ7−Ｃ20アリールアルキルまたは弗素化Ｃ7−Ｃ20アルキルアリールを意味し、また両基Ｒ8またはＲ9が、それ自体置換されていてもよい単環または多環基を形成してもよく、
Ｘが、塩素を意味し、
Ｙが、酸素、硫黄またはＮＲ3を意味し、
ｌ、ｌ´が、相互に同じでも異なってもよく、それぞれ１または２であり、
Ｂが、２個のインデニル基の間のブリッジ構成単位を意味することを特徴とする、請求項４の化合物。
【請求項６】 請求項１の少なくとも一種類の化合物および担体、必要に応じてさらに共触媒を含有することを特徴とする触媒。
【請求項７】 請求項６の触媒の存在下にポリオレフィンを製造する方法。
【請求項８】 請求項６の触媒をオレフィン重合のために使用する方法。